(57)【特許請求の範囲】
【請求項１】
スナップファスナーの雄部材（１０）であって、
前記スナップファスナーの前記雄部材（１０）は、少なくともプラスチック材料と金属材料とからなり、
前記雄部材（１０）は、少なくとも２つの部分からなり、第１部分（１０Ａ）は、プラスチック材料からなり、第２部分（１１）は、金属部分からなり、
前記第２部分（１１）は、前記雄部材（１０）を支持体（１８）に保持する保持手段（１４，１５）と前記第１部分（１０Ａ）との間に配置され、
前記第２部分（１１）は、リング状ワッシャー形状であり、
前記保持手段（１４）は、係合した時にスナップファスナーの雌部材（１２）に面する側で前記第２部分（１１）に当接する
ことを特徴とするスナップファスナーの雄部材（１０）。
【請求項２】
前記第１部分（１０Ａ）は、スナップファスナーの雌部材（１２）のアイレット（２４）と協働する係合突起部（２２）を有することを特徴とする請求項１に記載のスナップファスナーの雄部材（１０）。
【請求項３】
前記係合突起部（２２）は、柔軟性を有することを特徴とする請求項２に記載のスナップファスナーの雄部材（１０）。
【請求項４】
前記係合突起部（２２）は、膨張変形可能であることを特徴とする請求項２又は３に記載のスナップファスナーの雄部材（１０）。
【請求項５】
前記第２部分（１１）は、前記保持手段（１４，１５）と前記第１部分（１０Ａ）との間に挟持されることを特徴とする請求項１〜４のいずれか１項に記載のスナップファスナーの雄部材（１０）。
【請求項６】
前記保持手段（１４）は、リベットであることを特徴とする請求項１〜５のいずれか１項に記載のスナップファスナーの雄部材（１０）。
【請求項７】
請求項１〜６のいずれか１項に記載の雄部材（１０）と、その相手方の雌部材（１２）と、を備えるスナップファスナーにおいて、
前記雄部材（１０）の係合突起部（２２）を挿入するためのアイレット（２４）を形成する前記雌部材（１２）の壁（２８）は、柔軟性がないことを特徴とするスナップファスナー。
【請求項８】
前記壁（２８）は、金属材料からなることを特徴とする請求項７に記載のスナップファスナー。
【請求項９】
スナップファスナーの雄部材（１０）であって、
前記スナップファスナーの前記雄部材（１０）は、少なくともプラスチック材料と金属材料とからなり、
前記スナップファスナーの前記雄部材（１０）は、前記スナップファスナーの雌部材（１２）のアイレット（２４）と協働する係合突起部（２２）を有し、
係合した時に前記雌部材（１２）に面する側に前記係合突起部（２２）を少なくとも部分的に覆うカバー（３４）が設けられ、
前記雄部材（１０）を支持体（１８）に保持する保持手段（１４）は、係合した時に前記雌部材（１２）に面する側で前記カバー（３４）に当接する
ことを特徴とするスナップファスナーの雄部材（１０）。
【請求項１０】
前記係合突起部（２２）は、プラスチック材料からなることを特徴とする請求項９に記載のスナップファスナーの雄部材（１０）。
【請求項１１】
前記カバー（３４）は、金属又は金属合金からなることを特徴とする請求項９又は１０に記載のスナップファスナーの雄部材（１０）。
【請求項１２】
前記係合突起部（２２）の端面と前記カバー（３４）との間には、ギャップ（４２）が存在することを特徴とする請求項９〜１１のいずれか１項に記載のスナップファスナーの雄部材（１０）。
【請求項１３】
前記カバー（３４）は、基台（３０）の端面と当接して保持されることを特徴とする請求項１２に記載のスナップファスナーの雄部材（１０）。
【請求項１４】
前記係合突起部（２２）と前記基台（３０）の少なくとも一方は、スリーブ形状であることを特徴とする請求項１３に記載のスナップファスナーの雄部材（１０）。
【請求項１５】
前記係合突起部（２２）は、前記基台（３０）の周りに同心円状に配置されることを特徴とする請求項１３に記載のスナップファスナーの雄部材（１０）。
【請求項１６】
前記雌部材（１２）とスナップ係合する時に前記係合突起部（２２）がその内側に移動するためのスペース（３２）が配置されることを特徴とする請求項１３〜１５のいずれか１項に記載のスナップファスナーの雄部材（１０）。
【請求項１７】
係合した時に前記雌部材（１２）に面する側から見て、前記基台（３０）と前記係合突起部（２２）との間に前記スペース（３２）が配置されることを特徴とする請求項１６に記載のスナップファスナーの雄部材（１０）。
【請求項１８】
前記カバー（３４）は、係合方向に対して横方向の雄部材（１０）の移動を阻止する少なくとも１つのブロック手段（４０）を有することを特徴とする請求項９〜１７のいずれか１項に記載のスナップファスナーの雄部材（１０）。
【請求項１９】
前記カバー（３４）は、外側方向に配置される外側フランジ（３６）と内側方向に配置される内側フランジ（３８）とを備えるスリーブ形状であることを特徴とする請求項９〜１８のいずれか１項に記載のスナップファスナーの雄部材（１０）。
【請求項２０】
請求項９〜１９のいずれか１項に記載の雄部材（１０）を備えるスナップファスナー。
【請求項２１】
前記アイレット（２４）を形成する壁（２８）は、金属材料からなることを特徴とする請求項２０に記載のスナップファスナー。
【発明の詳細な説明】
【技術分野】
【０００１】
本発明は、スナップファスナーの雄部材に関する。
【背景技術】
【０００２】
従来のスナップファスナーの雄部材は、単一材料からなり、ほとんどの場合、プラスチック又は金属のいずれかである。しかし、スナップファスナーの雄部材は、様々な機能を果たさなければならず、特に使用中及び洗濯中の様々な影響に耐える必要がある。こうした多くの要求は、従来のスナップファスナーの雄部材によって実現されていない。【０００３】
また、従来のスナップファスナーの雄部材として、例えば、下記特許文献１が知られている。【０００４】
下記特許文献１に記載の雄部材では、係合突起部がスナップファスナーの主軸の方向に拡張しているので、係合突起部の端面は、スナップファスナーが係合していない時に損傷の問題が生じ得る。係合突起部の表面が傷つきやすいので、従来技術の雄部材の係合突起部はある一定の使用時間後に掻き傷がついたり変形したりする。さらに、従来技術の雄部材の係合突起部の設計可能性は機能上の要求のために制限される。従って、雄部材の魅力的な外観を得ることは難しい。
【先行技術文献】
【特許文献】
【０００５】
【特許文献１】米国特許出願公開第２００３／０２００６３３号明細書
【発明の概要】
【発明が解決しようとする課題】
【０００６】
従って、本発明の第１の目的は、上記した多くの要求を同時に満たすことができるようにスナップファスナーの雄部材を改良すること、特に雄部材を損傷から保護することである。また、本発明の第２の目的は、上記した問題を解決すること、特に係合突起部を損傷から保護することであり、さらに、雄部材の視覚的外観を向上させることである。
【課題を解決するための手段】
【０００７】
本発明の上記第１の目的は、下記の構成により達成される。
スナップファスナーの雄部材は、少なくとも２つの材料、すなわち、例えば、アクリロニトリルブタジエンスチレン（ＡＢＳ）、ポリアミド（ＰＡ）及び／又はポリオキシメチレン（ＰＯＭ）といったプラスチック材料と、例えば、アルミニウム、真鍮及び／又は（ステンレス）鋼といった金属材料からなる。【０００８】
前記材料の組み合わせは、従来の単一材料の雄部材に比べてより多くの選択肢をもたらし、それにより多様な要求を同時に満たすことができる。【０００９】
好ましくは、雄部材は少なくとも２つの部分からなり、第１部分は前記プラスチック材料からなり、第２部分は前記金属材料からなる。例えば、複雑な形状を有する雄部材の部分をプラスチック材料で作り、傷つきにくさが要求される雄部材の部分は金属材料で作ることができる。【００１０】
本発明のさらに好ましい実施形態によれば、第１部分は、スナップファスナーの雌部材のアイレットと協働する係合突起部を有する。この係合突起部は、いくつかの要求を満たさなければならず、スナップ係合に最適な形状を有しているべきであり、金属材料と比べてプラスチック材料に基づく第１部分の製造がより容易になる。詳しくは、第１部分は射出成形によって製造可能である。【００１１】
係合突起部は、好ましくは柔軟性を有する。これにより、スナップ係合手順が改善され、スナップファスナーを容易に閉じることができる。【００１２】
詳しくは、係合突起部は、好ましくは弾性的に膨張変形可能である。従って、スナップ係合手順を単純化するために少なくとも部分的に内側に移動するようになっている。【００１３】
第２部分は、好ましくは雄部材を支持体に保持するための保持手段と第１部分との間に配置される。これにより、第２部分は、保持手段が第１部分に直接当接することに起因する損傷から第１部分を保護することができる。【００１４】
安定性を高めるために、第２部分は、保持手段と第１部分との間に挟持されることが好ましい。【００１５】
保持手段は、リベットである。これは雄部材を支持体に取り付けるための単純かつ安価な方法である。【００１６】
本発明のさらに好ましい実施形態によれば、第２部分は、リング状ワッシャー形状である。これは極めて単純な形式なので、製造が容易である。【００１７】
また、本発明は、上述の雄部材に加えて、このような雄部材と相手方の雌部材とを備えるスナップファスナーにも関連しており、雄部材の係合突起部を挿入するためのアイレットを形成する雌部材のリング状湾曲壁は柔軟性がない。その理由は、アイレットを形成するそれぞれの壁を製造することは極めて容易かつ安価であるからである。【００１８】
最後に、壁は金属材料からなることが好ましい。やはり、金属に基づく壁の製造は容易かつ安価である。【００１９】
本発明の上記第２の目的は、下記の構成により達成される。
スナップファスナーの雌部材のアイレットと協働する係合突起部を有するスナップファスナーの雄部材であって、係合した時に雌部材に面する側に係合突起部を少なくとも部分的に覆うカバーが設けられる。【００２０】
言い換えると、カバーは、係合突起部を損傷、特に環境及び使用による損傷から保護する一種のシールドである。さらに、カバーは視覚的外観を向上させるために使用されてもよい。【００２１】
係合突起部は、任意の適切な材料で作ることができるが、例えば、アクリロニトリルブタジエンスチレン（ＡＢＳ）、ポリアミド（ＰＡ）及び／又はポリオキシメチレン（ＰＯＭ）といったプラスチック材料からなることが好ましい。【００２２】
好ましい実施形態によれば、カバーは、例えば、アルミニウム、真鍮及び／又は（ステンレス）鋼といった金属又は金属合金からなる。金属の使用にはいくつかの利点がある。金属は、特に擦り傷のような機械的損傷に関して、プラスチック材料に比べて傷つきにくい。さらに、金属表面の魅力的外観を実現することが容易である。【００２３】
本発明のさらに好ましい実施形態によれば、係合突起部の端面とカバーとの間にギャップが存在する。これにより、係合突起部は、カバーによって妨げられることなくスナップ係合中に移動できる。詳しくは、係合突起部のスナップ係合中の移動とは径方向内側への移動である。【００２４】
カバーは、基台の端面と当接して保持され得る。言い換えれば、追加的に設けられ得る基台はカバーを適所に保持するために使用される。これにより、カバーは、係合した時に雌部材に面する側で係合突起部を少なくとも部分的に覆い、係合突起部を保護することができる。さらに、カバーは、係合突起部の端面とカバーとの間にギャップを備えて保持され得る。【００２５】
本発明のさらに好ましい実施形態によれば、係合突起部と基台の少なくとも一方は、スリーブ形状に設けられている。言い換えれば、係合突起部と基台の少なくとも一方は、係合した時に雌部材に面する側から見てリング状に設けられている。それぞれの設計は例えば射出成形によって容易に実現される。【００２６】
好ましくは、係合突起部は、基台の周りに同心円状に配置されている。言い換えれば、例えば、互いに同心円状に配置された２つのスリーブが存在する。【００２７】
本発明のさらに好ましい実施形態によれば、雌部材とスナップ係合する時に係合突起部がその内側に移動するためのスペースが配置され、このスペースがカバーによって少なくとも部分的に覆われる。これにより、同心円状スリーブの場合に例えばリング状をしているスペースがカバーによって保護されるため、何らかの異物がスペースに落ち込んでスナップ係合を妨げることが防止される。さらに、スペースは少なくともカバーに覆われている限り見えないため、視覚的外観が向上する。【００２８】
本発明によれば、係合した時に雌部材に面する側から見て、基台と係合突起部との間にスペースを配置できる。この設計は例えば射出成形によって容易に実現される。【００２９】
本発明のさらに好ましい実施形態によれば、雄部材を支持体に保持する保持手段は、係合した時に雌部材に面する側でカバーに当接する。これにより、保持手段は、雄部材を支持体に保持するとともにカバーを保持するという２つの機能を有する。支持体は、例えば、繊維材料、皮革材料など、スナップファスナーが固定される任意のものである。【００３０】
カバーは、係合方向に対して横方向の雄部材の移動を阻止する少なくとも１つのブロック手段を有してもよい。これにより、カバーは２つの機能を有する。すなわち、カバーは、係合突起部を覆うか保護する働きをするとともに、係合方向に対して横方向の雄部材の移動を阻止して、雄部材を支持体に固定する働きをする。【００３１】
カバーは、外側方向に配置される外側フランジと内側方向に配置される内側フランジとを備えるスリーブ形状又はパイプ形状のような中空円筒形状であってもよい。これにより、外側フランジは、係合突起部を覆うか保護する機能を有する。内側フランジは、雄部材を支持体に固定するために保持手段の当接部として機能する。スリーブの側壁は、係合方向に対して横方向の雄部材の移動を阻止するブロック手段として機能する。【００３２】
また、本発明は、上記した雄部材を備えるスナップファスナーに関する。【００３３】
好ましくは、雌部材のアイレットを形成する壁は、例えば、アルミニウム、真鍮及び／又は（ステンレス）鋼といった金属材料からなる。【００３４】
以下において、添付図面を参照して好ましい例示的実施形態を用いて本発明をさらに詳細に説明する。
【図面の簡単な説明】
【００３５】
【図１】本発明に係る雄部材の第１実施形態を備えるスナップファスナーの分解断面図である。
【図２】布地に取り付けられた図１のスナップファスナーの開状態を示す断面図である。
【図３】図２のスナップファスナーの閉状態で示す断面図である。
【図４】本発明に係る雄部材の第２実施形態を備えるスナップファスナーの分解断面図である。
【図５】布地に取り付けられた図４のスナップファスナーを開状態を示す断面図である。
【図６】図５のスナップファスナーの閉状態で示す断面図である。
【発明を実施するための形態】
【００３６】
（第１実施形態）
まず、図１〜図３を参照して、本発明に係るスナップファスナーの雄部材の第１実施形態及びそれを備えるスナップファスナーについて説明する。
【００３７】
図１〜図３に示すスナップファスナーは、雄部材１０とその相手方の雌部材１２を備える。雄部材１０は、本体（第１部分）１０Ａとカバー（第２部分）１１を備える。本体１０Ａは、ポリオキシメチレン（ＰＯＭ）などのプラスチック材料で作られている。カバー１１及び雌部材１２は、真鍮などの金属材料で作られている。また、スナップファスナーには、雄部材１０及び雌部材１２を布地（支持体）１８、２０にそれぞれ取り付けるためのリベット（保持手段）１４、１６が存在する。
【００３８】
雄部材１０の本体１０Ａは、雌部材１２のアイレット２４と協働する係合突起部２２を有する。係合突起部２２は、スリーブ形状に設けられ、径方向外面に膨出部２６を有する。膨出部２６は、雄部材１０と雌部材１２のスナップ係合のためのアイレット２４を形成する壁２８と協働する。また、係合突起部２２は、柔軟性を有し、弾性的に膨張変形可能である。
【００３９】
カバー１１は、リベット１４のリベット軸部１５がカバー１１に当接し、転じてカバー１１が雄部材１０の本体１０Ａに当接することから、本体１０Ａを布地１８に取り付けるのに役立つ。言い換えれば、カバー１１は、リベット軸部１５と本体１０Ａとの間に挟持される。これにより、リベット軸部１５が本体１０Ａに直接当接しないため、リベット軸部１５の当接により本体１０Ａが損傷するのを防止することができる。
【００４０】
カバー１１は金属材料で作られるため、特に使用中及び洗濯中に起こり得る擦り傷のような機械的損傷に関して、プラスチック材料に比べて傷つきにくい。従って、カバー１１により雄部材１０の本体１０Ａを上述の損傷から保護することができる。
【００４１】
カバー１１は、別個の部品として供給してもよく、また、例えば、接着、溶接などによって雄部材１０の本体１０Ａに固定してもよい。
【００４２】
雄部材１０の本体１０Ａは、プラスチック材料で作られるため、その係合突起部２２は、特にスナップ係合中に径方向内側に容易に移動可能である。さらに、射出成形プロセスによって係合突起部２２に膨出部２６を設けることは容易である。
【００４３】
さらに、本実施形態では、カバー１１がリング状ワッシャー形状であるため、カバー１１の製造は容易である。
【００４４】
さらに、雄部材１０の本体１０Ａが容易なスナップ係合手順を保証するために十分な柔軟性を有し得るため、雌部材１２はスナップ係合手順のための柔軟性を有する必要がない。このため、雌部材１２の製造は容易である。
【００４５】
図２及び図３に示すように、本実施形態のスナップファスナーは、スナップの取り付けがスナップの中心ではなくスナップの縁端で行われるので、極めて平坦な構造を有している。これにより、スナップの高さは、スナップ動作と、同じ区域で行われるそれぞれの材料部片への雄部材及び雌部材の取り付けとの両方のためのスペースを与える必要がない。
【００４６】
最後に、注意すべきことは、リベット１４、１６が取り付け手段であって、スナップファスナーの部分又は部材ではないことである。
【００４７】
上記明細書、特許請求の範囲及び図面に開示された本発明の特徴は、個別的にだけでなく任意の組み合わせでの様々な実施形態における本発明の実現にとって不可欠であり得る。
【００４８】
（第２実施形態）
次に、図４〜図６を参照して、本発明に係るスナップファスナーの雄部材の第２実施形態及びそれを備えるスナップファスナーについて説明する。
【００４９】
図４〜図６に示すスナップファスナーは、雄部材１０とその相手方の雌部材１２を備える。本実施形態の雄部材１０は、ポリオキシメチレン（ＰＯＭ）などのプラスチック材料で作られている。本実施形態の雌部材１２は、アルミニウム、真鍮、（ステンレス）鋼などの金属又は金属合金で作られている。また、スナップファスナーには、雄部材１０及び雌部材１２を布地（支持体）１８、２０にそれぞれ取り付けるためのリベット（保持手段）１４、１６が存在する。
【００５０】
雄部材１０は、雌部材１２のアイレット２４と協働する係合突起部２２を備える。係合突起部２２は、スリーブ形状又はパイプ形状のような中空円筒形状に設けられ、径方向外面に膨出部２６を有する。膨出部２６は、雄部材１０と雌部材１２とのスナップ係合のためのアイレット２４を形成するリング状湾曲壁２８と協働する。
【００５１】
雄部材１０は、スリーブ形状に形成される基台３０を備える。係合突起部２２は、基台３０の周りに同心円状に配置される。また、雌部材１２に面する側から見て、基台３０と係合突起部２２との間にリング状のスペース３２が配置される。そして、スペース３２が設けられることにより、係合突起部２２は雌部材１２とスナップ係合する時に径方向内側に移動することが可能となる。
【００５２】
雄部材１０には、雌部材１２と係合した時に雌部材１２に面する側に、係合突起部２２を少なくとも部分的に覆うカバー３４が設けられている。カバー３４は、径方向外側方向に配置される外側フランジ３６と、径方向内側方向に配置される内側フランジ３８と、外側フランジ３６と内側フランジ３８との間を軸方向に連結する側壁４０と、を備え、スリーブ形状に形成されている。なお、カバー３４は、パイプ形状のような中空円筒形状であってもよい。
【００５３】
カバー３４の外側フランジ３６は、基台３０の軸方向一端面（図４の上端面）と当接して保持されている。また、外側フランジ３６は、係合突起部２２を少なくとも部分的に覆うようにスペース３２を越えて径方向外側に拡張されている。そして、外側フランジ３６と係合突起部２２の軸方向一端面（図４の上端面）との間にギャップ４２が設けられている。従って、外側フランジ３６と係合突起部２２は直接接触していない。ギャップ４２は、基台３０が係合突起部２２よりも高く形成されていることに起因する。これにより、カバー３４の外側フランジ３６は、係合突起部２２のスナップ係合中の移動を妨害又は阻止しない。なお、係合突起部２２のスナップ係合中の移動とは径方向内側への移動である。
【００５４】
また、リベット１４は、雌部材１２に面する側でカバー３４の内側フランジ３８に当接し、内側フランジ３８は、雄部材１０の径方向内側部分に当接する。従って、内側フランジ３８は雄部材１０を布地１８に取り付けるのに役立つ。そして、リベット１４と雄部材１０との間に内側フランジ３８が配置され、リベット１４が雄部材１０に直接当接しないため、リベット１４の当接により雄部材１０の径方向内側部分が損傷するのを防止することができる。
【００５５】
カバー３４の側壁４０は、スリーブ形状で設けられ、その径方向外周面が雄部材１０の基台３０に当接している。そして、側壁４０は、基台３０に当接することにより、係合方向に対して横方向の雄部材の移動を阻止するブロック手段として機能し、雄部材１０を布地１８に固定する働きをする。
【００５６】
本実施形態のカバー３４は、アルミニウム、真鍮、（ステンレス）鋼などの金属又は金属合金で作られている。このため、特に使用中及び洗濯中に起こり得る擦り傷のような機械的損傷に関して、プラスチック材料に比べて傷つきにくい。従って、カバー３４により基台３０を含む雄部材１０及び特に係合突起部２２を上述の損傷から保護することができる。
【００５７】
また、カバー３４は、雄部材１０のスペース３２の上方を覆い、スペース３２を保護している。これにより、何らかの異物がスペース３２に落ち込むのを防止することができ、これにより、係合突起部２２のスナップ係合が妨げられるのを防止することができる。
【００５８】
さらに、金属製のカバー３４は、スナップファスナーの魅力的な外観を実現するのに寄与する。それぞれの装飾要素を金属表面に適用することは容易であるので、デザイン、ロゴ及び他の美的特徴をカバー３４に容易に組み込むことができる。また、スペース３２がカバー３４により覆われて見えないため、雄部材１０及びスナップファスナーの視覚的外観を向上することができる。
【００５９】
カバー３４は、別個の部品として供給してもよく、また、例えば、接着、溶接などによって雄部材１０に固定してもよい。
【００６０】
図に示したスナップファスナーは上面図及び底面図で円形の輪郭を有する。
【００６１】
図５及び図６に示すように、本実施形態のスナップファスナーは、スナップの取り付けがスナップの中心ではなくスナップの縁端で行われるので、極めて平坦な構造を有している。それにより、スナップの高さは、スナップ動作と、同じ区域で行われるそれぞれの材料部片への雄部材及び雌部材の取り付けとの両方のためのスペースを与える必要がない。
【００６２】
最後に、注意すべきことは、リベット１４、１６が取り付け手段であって、スナップファスナーの部分又は部材ではないことである。
【００６３】
上記明細書、特許請求の範囲及び図面に開示された本発明の特徴は、個別的にだけでなく任意の組み合わせでの様々な実施形態における本発明の実現にとって不可欠であり得る。
【００６４】
本出願は、２０１６年１０月２８日出願のドイツ連邦共和国特許出願（１０２０１６０１２８９９．２）、及び２０１６年１０月２８日出願のドイツ連邦共和国特許出願（１０２０１６０１２９０１．８）に基づくものであり、その内容はここに参照として取り込まれる。
【符号の説明】
【００６５】
（第１実施形態）
１０  雄部材
１０Ａ  本体（第１部分）
１１  カバー（第２部分）
１２  雌部材
１４、１６  リベット（保持手段）
１５  リベット軸部
１８、２０  布地（支持体）
２２  係合突起部
２４  アイレット
２６  膨出部
２８  壁
（第２実施形態）
１０  雄部材
１２  雌部材
１４、１６  リベット（保持手段）
１８、２０  布地（支持体）
２２  係合突起部
２４  アイレット
２６  膨出部
２８  湾曲壁
３０  基台
３２  スペース
３４  カバー
３６  外側フランジ
３８  内側フランジ
４０  側壁（ブロック手段）
４２  ギャップ
【図１】
0006719580.tif 000002
【図２】
0006719580.tif 000003
【図３】
0006719580.tif 000004
【図４】
0006719580.tif 000005
【図５】
0006719580.tif 000006
【図６】
0006719580.tif 000007